(57)【特許請求の範囲】
【請求項１】
建築物の外壁本体に設けられる一対の外装パネルの端部を覆う長尺の外装パネル用役物であって、
前記外装パネル用役物の断面形状は左右対称形で、一対の外装パネルの各端部を収納する一対の収納部とこの収納部を覆う一対のカバー材から成り、
前記一対の収納部は、前記外壁本体に取付けられる内側材と、この内側材から平行に隔たる外側材と、前記内側材と前記外側材を連結する連結材とで形成されるとともに、前記一対のカバー材は前記各外側材の他端で折返し外側材に沿って延設して前記対称軸上で連結して成り、
前記連結材は、前記内側材の一端に前記内側材と直角に設けられる第一の面と、前記外側材の一端に前記外側材と直角に設けられる第二の面と、前記第一の面と前記第二の面を前記内側材に対して平行に連結する第三の面とで形成され、
前記外側材と前記第三の面の間隔が前記外装パネルの厚さと同じで、前記第三の面に備える複数の凹溝がその一端を前記第一の面を貫通し他端が前記一対の連結材で囲われた領域に貫通して形成されることを特徴とする外装パネル用役物。
【請求項２】
請求項１に記載の外装パネル用役物であって、前記連結材の第二の面と第三の面で形成される隅部は、前記第二の面と第三の面のそれぞれ一部分が前記収納部側に押込まれて成る凸部を備えることを特徴とする外装パネル用役物。
【請求項３】
請求項１又は請求項２に記載の外装パネル用役物であって、前記一対の内側材の挟角は直角又は１８０度に形成されることを特徴とする外装パネル用役物。
【請求項４】
請求項１乃至請求項３のいずれか１項に記載の外装パネル用役物であって、前記外装パネル用役物は鋼板による板金加工で一体形成されることを特徴とする外装パネル用役物。
【発明の詳細な説明】
【技術分野】
【０００１】
本発明は、外壁本体に設ける一対の外装パネルを挟持する外装パネル用役物に関し、特に、外装パネルの裏面側に通じる通気孔を設けるとともに外装パネルを安定して保持する強度を備える外装パネル用役物の技術に関する。
【背景技術】
【０００２】
従来、建築物の外壁本体に取付ける一対の外装パネル用の外装パネル用役物として、例えば、特許文献１の記載が知られている。
【０００３】
特許文献１によれば、図５に示すように、外装パネル用役物１２は下型１と上型８からなり、下型１の断面形状は、亜鉛めっき帯板を直角に折り曲げた同一形状の２枚の帯状山形鋼板２を、片方の辺３が同一平面となるように互いに反対方向に伸長し、他方の辺４の外側を合わせることにより構成される。
【０００４】
各辺３の端部には折返し部５が内側に設けられ、この折り返し部５と帯状山形鋼板２の折り曲げ線６との間には内側に突出した水切り用の突条７が設けられる。
【０００５】
上型８は、帯状鋼板を偏平チュ−ブ状に折り曲げたもので、その半幅は下型１の帯状山形鋼板２の辺３より狭く形成される。上面板９は連続しているが、下面板１０は中央部が長手方向に沿って分離し下型１の２枚の他方の辺４に連結する。そして、各辺３を外壁本体１３に図示しない釘等で打ち付け、下型１と上型８との間に外装パネル１１を容易に挿入することができる。
【０００６】
ところが、上記の外装パネル用役物１２では、外装パネルの裏面側に通じる通気孔が設けられていないので、外装パネルの裏面側に結露が発生して外装パネルが劣化し、防音性や保温性が低下するという問題があった。
【０００７】
この問題を解決する方法が特許文献２に記載されている。特許文献２によれば、図６（ａ）、（ｂ）に示すように、外装パネル用役物１４は、胴縁部１５とジョイナ部１６とからなり、胴縁部１５は、平断面コ字型の縦長ベース１７と、この縦長ベース１７の開口端に連設された１２１と１２２とからなる。平面視Ｔ字型のジョイナ部１６は、縦長ベース１７の天面１１１の略中央部に連設されるとともに、天面１１１と共に隣り合う外装パネルを挟持するように支持する。縦長ベース１７の両側面には空気が流通するための長孔１３１、１３２が設けられる。
【特許文献１】登録実用新案第３００８５２４号公報
【特許文献２】特開２００５−５４４３３号公報
【発明の開示】
【発明が解決しようとする課題】
【０００８】
ところが、上記の外装パネル用役物１４は、胴縁部１５とジョイナ部１６を別々に製作してから溶接するか、又は一体的に押出し成形で製作するのでコストが高くなるという問題があった。また、縦長ベース１７の両側面が長孔１３１、１３２の影響で強度不足となり変形して外装パネル１８が損傷するという問題があった。
【０００９】
そこで、本発明は、外装パネル用役物の強度に影響を与えない通気孔構造を用いて外装パネルの損傷を防ぎ、且つ外装パネル裏面側の結露による劣化をなくし防音性や保温性の低下を防ぐとともに、低コストの外装パネル用役物を提供することを目的とする。
【課題を解決するための手段】
【００１０】
請求項１の発明は、建築物の外壁本体に設けられる一対の外装パネルの端部を覆う長尺の外装パネル用役物であって、前記外装パネル用役物の断面形状は左右対称形で、一対の外装パネルの各端部を収納する一対の収納部とこの収納部を覆う一対のカバー材から成り、前記一対の収納部は、前記外壁本体に取付けられる内側材と、この内側材から平行に隔たる外側材と、前記内側材と前記外側材を連結する連結材とで形成されるとともに、前記一対のカバー材は前記各外側材の他端で折返し外側材に沿って延設して前記対称軸上で連結して成り、前記連結材は、前記内側材の一端に前記内側材と直角に設けられる第一の面と、前記外側材の一端に前記外側材と直角に設けられる第二の面と、前記第一の面と前記第二の面を前記内側材に対して平行に連結する第三の面とで形成され、前記外側材と前記第三の面の間隔が前記外装パネルの厚さと同じで、前記第三の面に備える複数の凹溝がその一端を前記第一の面を貫通し他端が前記一対の連結材で囲われた領域に貫通して形成されることを特徴としている。
【００１１】
請求項２の発明は、請求項１に記載の外装パネル用役物であって、前記連結材の第二の面と第三の面で形成される隅部は、前記第二の面と第三の面のそれぞれ一部分が前記収納部側に押込まれて成る凸部を備えることを特徴としている。
【００１２】
請求項３の発明は、請求項１又は請求項２に記載の外装パネル用役物であって、前記一対の内側材の挟角は直角又は１８０度に形成されることを特徴としている。
【００１３】
請求項４の発明は、請求項１乃至請求項３のいずれか１項に記載の外装パネル用役物であって、前記外装パネル用役物は鋼板による板金加工で一体形成されることを特徴としている。
【発明の効果】
【００１４】
請求項１の発明によれば、外装パネル用役物の前記連結材は、前記内側材の一端に前記内側材と直角に設けられる第一の面と、前記外側材の一端に前記外側材と直角に設けられる第二の面と、前記第一の面と前記第二の面を前記内側材に対して平行に連結する第三の面とで形成され、前記外側材と前記第三の面の間隔が前記外装パネルの厚さと同じに形成され、前記第三の面に備える複数の凹溝がその一端を前記第一の面を貫通し他端が前記一対の連結材で囲われた領域に貫通して形成されるため、外装パネルの裏面側との通気性が確保できて外装パネル裏面側の結露による劣化がなくなり防音性や保温性の低下を防ぐことができる。
【００１５】
さらに、通気孔を形成する凹溝は通気孔の補強にもなるため前記第三の面の強度を補うことができるので、外装パネル用役物の強度に影響を与えることがなく外装パネルの損傷を防ぐことができる。
【００１６】
請求項２の発明によれば、外装パネル用役物の前記連結材の第二の面と第三の面で形成される隅部は、前記第二の面と第三の面のそれぞれ一部分が前記収納部側に押込まれて成る凸部を備えるので、この凸部によって外装パネルの挿入位置決めが確実且つ容易にできる。
【００１７】
このため、外装パネルの挿入時に前記第二の面に当接しないので前記第二の面の位置及び形状に影響を及ばさず、外装パネル用役物を変形することなく確実に取付けることができる。
【００１８】
請求項３の発明によれば、請求項１又は請求項２に記載の外装パネル用役物であって、前記一対の内側材の挟角は直角又は１８０度に形成されるので、外装パネル用役物のカバー材とベース材を同様の構成で外壁本体の出隅部又は平面部に用いることができる。このため、請求項１の発明の効果と同様の効果が得られるとともに、略同じ工程を用いて出隅部又は平面部用に加工できるので生産性が向上する。
【００１９】
請求項４の発明によれば、請求項１乃至請求項３のいずれか１項に記載の外装パネル用役物であって、前記外装パネル用役物は鋼板による板金加工で一体形成されるので、容易に製作できてコストを下げることができる。
【発明を実施するための最良の形態】
【００２０】
以下に、本発明の第１の実施形態を図１、図２に基づいて説明する。
＜外装パネル用役物の構成＞
【００２１】
図１、図２に示すように、本発明の外装パネル用役物２１は建築物の外壁本体２２に設けられる一対の外装パネル２３の端部２３ａを覆う長尺の外装パネル用役物２１で、断面形状は対称軸Ｐに対して左右対称形で一対の外装パネル２３の各端部２３ａを収納する一対の収納部２５とこの収納部２５を覆う一対のカバー材３３から成る。
【００２２】
一対の収納部２５は、外壁本体２２に取付けられる内側材２６と、この内側材２６から平行に隔たる外側材２７（長さＴ１＝２０ｍｍ）と、内側材２６の一端２６ａと外側材２７の一端２７ａを連結する連結材２８とで形成される。    
【００２３】
連結材２８は、内側材２６の一端２６ａに内側材２６と直角に設けられる第一の面２９と、外側材２７の一端２７ａに外側材２７と直角に設けられる第二の面３０と、内側材２６と平行な第三の面３１とで形成される。
【００２４】
さらに、第二の面３０と第三の面３１から成る隅部には、第二の面３０と第三の面３１のそれぞれ一部分が収納部２５内側に押込まれて形成される第三の面３１と第二の面３０にそれぞれ平行な二面３２ａ、３２ｂからなる凸部３２を備える。外側材２７と第三の面３１は間隔Ｈ＝２１ｍｍで連結され、この隙間に幅Ｈ３＝２１ｍｍの外装パネル２３が挿入される。
【００２５】
第三の面３１には長手方向に複数の凹溝５０が形成され、凹溝５０の一端５０ａは第一の面２９を貫通し他端５０ｂが一対の連結材で囲われた領域５１に貫通して形成される。このため、外装パネルの裏面側の通気性が矢印Ｑで示すように確保できる。
【００２６】
一対のカバー材３３は各外側材２７の他端２７ｂで外側に幅Ｈ２＝１．５ｍｍで折返し、外側材２７に沿って延設して対称軸Ｐ上の位置Ｐ１で練結される。一対のカバー材３３の全幅Ｔ３＝４５ｍｍである。
【００２７】
内側材２６は第二の面３０から他端２６ｂまでの長さＴ＝３７ｍｍで、両他端２６ｂ間の長さＴ４＝７９ｍｍである。内側材２６の他端２６ｂには内側材２６と平行に収納部２５の内部側に折返す折返部５２が形成され、内側材２６は図示しないビス等を介して外壁本体２２に取付けられる。
【００２８】
外装パネル２３は断熱性、遮音性等を目的として、内部の断熱材を両側から薄肉の金属板で被覆してなる金属サイディングが用いられる。  
【００２９】
複数の外装パネル２３は外壁本体２２の下から上に向かって横張り、又は左右方向の縦張りで組付けられる。また、図示しない胴縁を介して取付けることもある。外装パネル用役物２１は取付時に図示しないシール材を用いて防水対策が講じられる。
【００３０】
外装パネル用役物２１は板厚０．３５ｍｍの薄厚鋼板の両表面にアルミ・亜鉛合金メッキを施し、さらに、カバー材３３に対しては表面側となる面にフッ素樹脂塗装、裏面側にポリエステル樹脂塗装が施されて板金加工により連続して一体形成される。
＜外装パネル用役物の作用＞  
【００３１】
上記のように、第三の面３１に備える複数の凹溝５０の一端５０ａが第一の面２９を貫通し他端５０ｂが一対の連結材２８で囲われた領域５１に連通して形成される。このとき、第三の面３１は凹溝５０によってその一部が切欠かれてはいるが、第三の面３１そのものは立体的に連続しているので第三の面３１の面内方向及び面外方向の強度を補うことができる。
【００３２】
このため、外装パネル用役物の強度を低下することなく、外装パネルの裏面側の通気性が確保できるので、外装パネル裏面側の結露による劣化がなくなり防音性や保温性の低下を防ぐことができる。
【００３３】
また、連結材２８に形成される凸部３２によって外装パネルの挿入位置決めが確実且つ容易にできる。そして、外装パネルが第二の面３０に当接して外装パネル用役物を変形させることもないので外装パネルを確実に取付けることができる。
＜第２の実施形態＞
【００３４】
本発明の第２の実施形態を図３を用いて説明するが、図１に示す外装パネル用役物２１の構成と同構成部分については、図面に同符号を付して重複した説明を省略する。
【００３５】
図３に示すように、外装パネル用役物２１ａは建物の出隅部に用いられる外装パネル用役物２１ａで、一対の内側材２６の挟角θ＝直角に形成される。
【００３６】
外側材２７の長さＳ１＝２５ｍｍ、カバー材３３の全幅Ｓ２＝５５ｍｍ、内側材２６の他端２６ｂは第二の面３０から長さＳ３＝４２ｍｍの位置に形成されるとともに、位置Ｐ１から他端２６ｂまでの長さＳ４＝７２ｍｍである。第二の面３０の延長線が内側材２６の延長線と交わる位置Ｒは対称軸Ｐに対して長さＳ５＝８．５ｍｍの位置である。
＜第３の実施形態＞
【００３７】
本発明の第３の実施形態を図４を用いて説明するが、図１に示す外装パネル用役物２１の構成と同構成部分については、図面に同符号を付して重複した説明を省略する。
【００３８】
図４に示すように、外装パネル用役物２１ｂは建物の入隅部に用いられる外装パネル用役物２１ｂで、一対の内側材２６の挟角θ１＝直角に形成される。位置Ｐ１から外側材２７の他端２７ｂまでの長さＷ＝２３ｍｍ、一対の一端２７ａ間の間隔Ｗ１＝略４ｍｍである。
【００３９】
以上、本発明の実施形態を図面に基づいて説明したが、上記の実施例はいずれも本発明の一例を示したものであり、本発明はこれらに限定されるべきでないということは言うまでもない。
【００４０】
外装パネル用役物は外装パネル端部が上下、左右どちらの方向であっても使用できる外装パネル用役物の各寸法を調整することで、厚さＨ＝２１ｍｍ以外の金属サイディングにも用いることができる。
【図面の簡単な説明】
【００４１】
【図１】本発明の第１の実施形態における、建築物の外壁本体２２に設けられる一対の外装パネル２３の端部２３ａを覆う長尺の外装パネル用役物２１の断面図である。
【図２】本発明の第１の実施形態における、図１の“Ａ”詳細斜視図である。
【図３】本発明の第２の実施形態における、建築物の出隅部に設けられる長尺の外装パネル用役物２１ａの断面図である。
【図４】本発明の第３の実施形態における、建築物の入隅部に設けられる長尺の外装パネル用役物２１ｂの断面図である。
【図５】従来の、建築物の外壁本体１３に設けられる一対の外装パネル１１の端部を覆う長尺の外装パネル用役物１２の断面図である。
【図６】従来の建築物の外壁本体Ｄに設けられる、（ａ）は外装パネル用役物１４の斜視図、（ｂ）は一対の外装パネル１８の端部を覆う長尺の外装パネル用役物１４の取付断面図である。
【符号の説明】
【００４２】
２１  外装パネル用役物
２５  収納部
２６  内側材
２６ａ  一端
２７  外側材
２７ａ  一端
２８  連結材
２９  第一の面
３０  第二の面
３１  第三の面
３２  凸部
３２ａ  面
３２ｂ  面
５０  凹溝
５０ａ  一端
５０ｂ  他端
５１  領域
【図１】
0004552887.tif 000002
【図２】
0004552887.tif 000003
【図３】
0004552887.tif 000004
【図４】
0004552887.tif 000005
【図５】
0004552887.tif 000006
【図６】
0004552887.tif 000007